(57)【要約】【課題】従来のカーテン地がもつ生地の柄、風合い、意匠性、ファッション性、保温性、断熱性、遮光性、防音性その他の機能を損なうことなく不透湿性を付加したカーテンを提供するとともに、このカーテンによりカーテンを通過する湿気の量を減少させ窓ガラスへの結露量の減少を図る。【解決手段】カーテン地の裏面にフッ素樹脂やナイロン、ビニル、ゴムなどの防水機能を持つ素材のシートを貼付、縫製、圧着、などの方法により固着させ、不透湿膜を構成したことを特徴とするカーテンを提供する。【選択図】      図１
2007050220.tif 000002
【特許請求の範囲】
【請求項１】
不透湿防水加工を施したカーテンを用いることにより、カーテンの表裏即ちカーテンを閉めた状態で室内側から窓側への湿度の移動をおこりにくくして窓の結露を防ぐ方法。
【請求項２】
透湿度２０００ｇ／ｍ２−２４ｈ以下の不透湿防水加工を施したカーテンを用いることにより、カーテンの表裏即ちカーテンを閉めた状態で室内側から窓側への湿度の移動をおこりにくくして窓の結露を防ぐ方法。
【請求項３】
不透湿防水加工を施したカーテン。
【請求項４】
透湿度２０００ｇ／ｍ２−２４ｈ以下の不透湿防水加工を施したカーテン。
【請求項５】
室内用カーテンであって、ゴム、フッ素樹脂、ビニル、ナイロン、ウレタン、シリコン、塩化ビニル樹脂、クロロスルホン化ポリエチレン樹脂、撥水テフロンなどのラミネートやコーティング加工にみられるような柔軟性があり防水性のある素材をカーテンの片面あるいは両面にシート状にスプレーや塗布、印刷、貼付、縫製、ラミネート加工、コーティング加工等により配して透湿度２０００ｇ／ｍ２−２４ｈ以下の不透湿性の高い膜を構成し、カーテンに不透湿機能を付加したことを特徴とするカーテン及びカーテン用生地。
【請求項６】
室内用カーテンであってカーテンの片面に、ゴム、フッ素樹脂、ビニル、ナイロン、ウレタン、シリコン、塩化ビニル樹脂、クロロスルホン化ポリエチレン樹脂、撥水テフロンなどの透湿度２０００ｇ／ｍ２−２４ｈ以下の不透湿防水機能を持つシートを貼付、縫製、圧着、熱着などの方法により固着し不透湿膜を構成したことにより、カーテンに不透湿機能を付加したことを特徴とするカーテン及びカーテン用生地。
【請求項７】
請求項３、請求項４、請求項５、請求項６のカーテンを用いることにより、カーテンを閉めた状態で室内側から窓側への湿度の移動をおこりにくくして窓の結露を防ぐ方法。
【発明の詳細な説明】
【技術分野】
【０００１】  水平開閉方式、上下開閉方式のカーテンに関する。
【背景技術】
【０００２】  寒い冬の日に窓ガラスの周辺ではコールドドラフトという現象が発生し、冷気の流入や窓ガラスの結露などを発生していることは一般的によく知られているところである。【０００３】  これは外気に冷やされた窓ガラスが、室内ではあたかも冷却器の役割を果たし、窓ガラス近傍の空気を冷やすので空気の比重が増し、下降気流を発生させるとともに、その際に飽和水蒸気が吐き出され窓ガラスに結露するというサイクルが繰り返される現象である。【０００４】  これを防ぐ方法として発明者は特願２００５−１７３４０５のカーテン下辺空気流遮断方法及び昇降機構付きカーテン吊り具、カーテンレール装置を出願した。これはカーテンを閉めた状態で、カーテンレールを下降させることによりカーテン全体を下げて、カーテンの裾部を床に密着させ、コールドドラフトの下降気流の流路を塞ぐと同時に、そのカーテンを境にして窓側に空気の断熱層を形成して室温の保温性を高めようとするものである。【０００５】  これは従来から一部で行われていた、冬場にカーテンの丈を長くしてカーテンの裾を常に床に密着させる方法の欠点を改善したものである。即ち前記方法によればカーテン開閉時に常に裾を引きずるためカーテンの動きがわるく、特にカーテンを閉めようとしたときに左右のカーテンが中央下部で閉じにくく隙間が生じ易いという欠点や、ヒダが乱れ易く美観を損なう、カーテンの裾が汚れ易く、擦り切れ易いなどの欠点を解消したものである。【０００６】  前述のカーテンの上下左右の隙間を無くす方法によると、冷気の流入は著しく減少し冷気による不快感が解消されると同時に、室内の保温性が向上するので室温が上昇し快適さを増すことが実証された。【０００７】  しかしながらこのとき、窓ガラスへの結露量が増えてしまうという弊害が発生することが確認された。この原因は、従来のカーテン地では空気の流れは防ぐことはできるが、空気に含まれる湿気の移動を防ぐことができないので、室温が上昇し快適さを増した分だけ空気に含まれる飽和水蒸気量も増してしまい、その分だけ結果的に窓ガラスへの結露量が増えてしまうというのである。【０００８】  つまり従来のカーテン地の殆どが透湿性生地により構成されているためにこうした問題が発生すると考えられる。
従来の室内用カーテンの一部には撥水加工を施したカーテン地もみられるが、その狙いは主に生地の防汚と湿気による縮み防止であり透湿防水加工の範疇のものであった。前述のような不透湿機能によるカーテンの結露防止を謳った商品は見当たらない。【０００９】  シャワー用カーテンでは撥水・防水機能を有するナイロンなどの生地が一般的であるが室内用カーテンに要求されるような生地の風合い、素材感、ボリューム感などを満足するものではなく、従来のカーテン地がもつ生地の風合い、柄、意匠性、ファッション性、保温性、断熱性、遮光性、防音性等の機能を損なうことなく不透湿性を付加したカーテンの開発が望まれる。
【発明の開示】
【発明が解決しようとする課題】
【００１０】
【００１１】  本発明は、シャワー用カーテンを除く、普及している室内用カーテンを対象として、不透湿性を付加したカーテンを提供するものである。
従来のカーテン地がもつ生地の風合い、柄、意匠性、ファッション性、保温性、断熱性、遮光性、防音性等の機能を損なうことなく不透湿性を付加したカーテンを提供しようとするものである。加えて、この不透湿カーテンを用いることによりカーテンを閉めた状態で室内側から窓側への湿度の移動を遮断し、窓の結露を防ぐ方法を提供するものである。
【課題を解決するための手段】
【００１２】本発明の主な構成は次の通りである。
（１）不透湿防水加工を施したカーテンを用いることにより、カーテンの表裏即ちカーテンを閉めた状態で室内側から窓側への湿度の移動をおこりにくくして窓の結露を防ぐ方法。
（２）透湿度２０００ｇ／ｍ２−２４ｈ以下の不透湿防水加工を施したカーテンを用いることにより、カーテンの表裏即ちカーテンを閉めた状態で室内側から窓側への湿度の移動をおこりにくくして窓の結露を防ぐ方法。
（３）不透湿防水加工を施したカーテン。
（４）透湿度２０００ｇ／ｍ２−２４ｈ以下の不透湿防水加工を施したカーテン。
（５）室内用カーテンであって、ゴム、フッ素樹脂、ビニル、ナイロン、ウレタン、シリコン、塩化ビニル樹脂、クロロスルホン化ポリエチレン樹脂、撥水テフロンなどのラミネートやコーティング加工にみられるような柔軟性があり防水性のある素材をカーテンの片面あるいは両面にシート状にスプレーや塗布、印刷、貼付、縫製、ラミネート加工、コーティング加工等により配して透湿度２０００ｇ／ｍ２−２４ｈ以下の不透湿性の高い膜を構成し、カーテンに不透湿機能を付加したことを特徴とするカーテン及びカーテン用生地。
（６）室内用カーテンであってカーテンの片面に、ゴム、フッ素樹脂、ビニル、ナイロン、ウレタン、シリコン、塩化ビニル樹脂、クロロスルホン化ポリエチレン樹脂、撥水テフロンなどの透湿度２０００ｇ／ｍ２−２４ｈ以下の不透湿防水機能を持つシートを貼付、縫製、圧着、熱着などの方法により固着し不透湿膜を構成したことにより、カーテンに不透湿機能を付加したことを特徴とするカーテン及びカーテン用生地。
（７）前記（３）、（４）、（５）、（６）のカーテンを用いることにより、カーテンを閉めた状態で室内側から窓側への湿度の移動をおこりにくくして窓の結露を防ぐ方法。
【発明の効果】
【００１３】  本発明のカーテンによれば、カーテンを閉めた状態でカーテンの上下左右の隙間を無くせば、カーテンを境にして窓側と室内側との間の空気と湿気の移動を遮断できるので、室温の保温性が向上し省エネが図られるとともに、冷気流入による不快感が軽減される。加えて湿気の移動が減少するので窓ガラスへの結露量を減少することが期待できる。
【発明を実施するための最良の形態】
【００１４】  本発明は従来のカーテン地のもつ生地の柄、風合い、意匠性、ファッション性、保温性、断熱性、遮光性、防音性その他機能などを損なうことなく、欠点であった透湿性を不透湿性にしようとするものである。
従来のカーテン地を表地として室内側に配し、裏地或いは中間層にシート状の防水膜を設けたことを特徴とする。
従来、一部で見られていた撥水加工を施したカーテン地は、防水加工を施した繊維を織ったものであったり、生地に対してフッ素樹脂などの防水剤をスプレーや塗布するなどしたものであり、繊維の隙間や付着スプレー粒子の間から湿気が通過していた。即ち撥水層が網目状であったり斑状であるために湿気の移動を遮断するには不十分な透湿防水加工であった。
これに対して本発明はシート状の防水膜を設けることにより全面的に湿気の移動を遮断できることを第一の特徴とするものである。防水膜の施工方法は独立した防水膜を表地の裏面に貼付、縫製する方法や表地の裏面に防水剤を直接印刷、塗布する方法など、従来の方法に酷似したものもあるが、繊維間の隙間をも埋めるだけの厚みをもたせてあり、不透湿防水加工を目的としている点で従来のものとは全く異なる。【００１５】＜カーテンの全体構造＞
本発明のカーテンは、主にカーテン地で構成される。このカーテンは掃き出し窓や腰高窓、出窓に設けられることが多い。カーテンは一重吊り、二重吊りあるいはそれ以上でも使用されることがある。カーテンの開閉方式は水平開閉方式、上下開閉方式などである。カーテンの幅、長さ、ヒダの数は特に限定されるものではない。本発明は主に布カーテン、ロールカーテン、アコーディオンカーテンに適用されるものである。
１．  各パーツの説明
１−１  カーテン地
一般的な吊り下げ式カーテンとして使用できるものであれば、制限はない。一般的にはドレープ、プリント、レースに大別されている。
素材は化学繊維であるポリエステルやアクリル、アラミド、レーヨン、ビニロン、ビニリデン、ナイロン、自然素材の綿、麻、ウールなどが主流であるが混紡、交織もある。また、炭素繊維、ガラス繊維、ロックウール、金属繊維等あらゆる繊維からなる織布を用いることが出来る。
カーテンの表地、即ち室内側のカーテン地は、機能としては装飾性の視点から光沢感、手触り感、ドレープ性、染色性、耐久性の視点から繊維の強さ・耐久性、洗濯による伸縮性、耐変色性、防汚の視点から防汚性、帯電性、吸水性、吸湿性、その他保温性、難燃性、防炎性、遮光性、消臭性、などが勘案され加工が施されており、従来からのもので素材や織り方に制限はない。
不透湿層はゴム、フッ素樹脂、ビニル、ウレタン、塩化ビニル樹脂、クロロスルホン化ポリエチレン樹脂、撥水テフロンなどのラミネートやコーティング加工にみられるような柔軟性があり防水性のある素材を表地の裏面にシート状に印刷、貼付、縫製、ラミネート加工、コーティング加工により配する。
前記不透湿層を裏地とする場合もあるが、美観的観点から更に裏地を設ける場合もある。
１−２  カーテンの吊り方、飾り方
カーテンは一重吊り、二重吊りあるいはそれ以上でも使用されることがある。カーテンの開閉方式は水平開閉方式、上下開閉方式などである。カーテンの幅、長さ、ヒダの数は特に限定されるものではない。
代表的なタイプにはプレーン、１．５倍ヒダ、２倍ヒダ、２．５ヒダ、３倍ヒダ、タブ、ハトメ、ギャザーなどがある。
【実施例１】  図１は本発明の一実施例の断面図である。カーテン形状は２倍ヒダ・２ツ山仕様とした。（１）は綿１００％の表地で、（２）は接着剤の層である。接着剤は接着芯に用いられるホットメルト型のものを使用した。（３）は撥水ポリエステル地に防水加工のナイロンを張り合わせたポリエステル５０％、ナイロン５０％生地よりなる不透湿層である。本案では独立した不透湿層（３）を付与することで、結露防止と表地（１）の選択範囲の自由度の確保を両立した例である。
【実施例２】  撥水ポリエステル地に防水加工のナイロンを張り合わせたポリエステル５０％、ナイロン５０％生地にテント用の防水処理剤を塗布した不透湿機能を有する生地で縫製されたカーテンである。
一部の外国製の生地などで優れた意匠性とある程度の不透湿防水機能を持つものがある。これに不透湿性を高めるための防水処理加工を施してカーテンに用いたものである。
【実施例３】  カーテン形状は１．５倍ヒダ・２ツ山仕様で、ジャガード職り混紡の表地（１）にナイロン１００％の傘やエプロンなどに使用される不透湿防水機能を持つ生地を不透湿層（３）として縫製した実施例である。
【図面の簡単な説明】
【００１６】
【図１】カーテンの断面図
【符号の説明】
【００１７】１    表地
２    接着剤
３    不透湿層
【図１】
2007050220.tif 000003